(57)【特許請求の範囲】
【請求項１】
調理器の周囲に設置され、調理により発生する油煙を捕集して屋外または室内に排気するレンジフードであって、
フードにおける捕集した油煙が排気される流路内にフィルタ保持部を設け、このフィルタ保持部にフィルタを着脱自在に保持し、
前記フードにおけるフィルタ保持部とは別の部位に、当該フィルタ保持部に着脱自在に保持可能な交換用フィルタを保管するための交換用フィルタ保管部を設け、
前記フードは、フード本体と、このフード本体の底面開口縁部との隙間によって前記流路の吸込口を形成する整流板を備え、
前記交換用フィルタ保管部は、前記整流板の裏面側に設けてあり、
前記整流板は、その前後方向の後方側がフード本体の前後方向の後方側に、略水平姿勢と略垂直姿勢とに亘って上下回動自在に連結され、
前記交換用フィルタ保管部は、交換用フィルタ保管空間を開放する開き位置と、閉じる閉じ位置とに亘って上下回動自在な蓋を有し、この蓋の回動中心は整流板の前後方向の前方側であることを特徴とするレンジフード。
【請求項２】
前記交換用フィルタ保管部は、整流板の裏面に開口した凹陥部と、この凹陥部を開閉する蓋とで交換用フィルタ保管空間を構成し、
その蓋が閉じ位置のときは、当該蓋と整流板の裏面が面一に連続するようにした請求項１記載のレンジフード。
【請求項３】
前記フィルタ保持部は、フィルタ保持台にフィルタ押え枠を保持位置と保持解除位置とに亘って上下回動自在に連結し、
そのフィルタ押え枠が保持位置のときには、当該フィルタ押え枠とフィルタ保持台とでフィルタを挟み込むことで保持し、フィルタ押え枠が保持解除位置のときにはフィルタを取り出し可能とし、
前記フィルタ押え枠の回動中心は、当該フィルタ押え枠の前後方向の後方側で、かつ前記整流板の回動中心よりも前方寄りで、保持解放位置のときには略垂直となるようにした請求項１又は２記載のレンジフード。
【請求項４】
前記整流板が略垂直姿勢で、前記蓋が開き位置のときに、前記フィルタ押え枠は保持位置と保持解除位置とに亘って上下に回動できるようにした請求項３記載のレンジフード。
【請求項５】
調理器の周囲に設置され、調理により発生する油煙を捕集して屋外または室内に排気するレンジフードであって、
フードにおける捕集した油煙が排気される流路内にフィルタ保持部を設け、このフィルタ保持部にフィルタを着脱自在に保持し、
前記フードにおけるフィルタ保持部とは別の部位に、当該フィルタ保持部に着脱自在に保持可能な交換用フィルタを保管するための交換用フィルタ保管部を設け、
前記フードは、フード本体と、このフード本体の底面開口縁部との隙間によって前記流路の吸込口を形成する整流板を備え、
前記交換用フィルタ保管部は、前記整流板の表面側に設けてあり、
前記交換用フィルタ保管部は、交換用フィルタ保管空間を開放する開き位置と、閉じる閉じ位置とに亘って上下回動自在な蓋を有し、
前記蓋の回動中心は、当該蓋の前後方向の後方側で、前記蓋の裏面における前後方向の前方側に、立上り部を備えていることを特徴とするレンジフード。
【請求項６】
調理器の周囲に設置され、調理により発生する油煙を捕集して屋外または室内に排気するレンジフードであって、
フードにおける捕集した油煙が排気される流路内にフィルタ保持部を設け、このフィルタ保持部にフィルタを着脱自在に保持し、
前記フードにおけるフィルタ保持部とは別の部位に、当該フィルタ保持部に着脱自在に保持可能な交換用フィルタを保管するための交換用フィルタ保管部を設け、
前記交換用フィルタ保管部は、フードの天板上に備えられ、前記フードの天板上に取り付けたカバー体と前記天板との間に交換用フィルタ保管空間を有し、かつ前記カバー体の蓋の前後方向の後方端にヒンジが設けられており、前記フードの前後方向の前方側から前記カバー体の蓋を開き位置に回動して交換用フィルタを取り出し可能にしたことを特徴とするレンジフード。
【請求項７】
前記フィルタ及び交換用フィルタはシート状である請求項１〜６のいずれか１項記載のレンジフード。
【発明の詳細な説明】
【技術分野】
【０００１】
本発明は、レンジフードに関する。
【背景技術】
【０００２】
調理器の周囲に設置され、調理により発生する油煙などを捕集して屋外へ排気するレンジフードが知られている。
例えば、特許文献１に開示されたように、フードと送風機を備え、そのフードの内部にフィルタを設け、送風機を駆動して油煙などをフード内に捕集し、その捕集した油煙に含まれる油脂分をフィルタで分離捕獲した後に屋外に排気するレンジフードが知られている。
【先行技術文献】
【特許文献】
【０００３】
【特許文献１】特開２００５−９８６１８号公報
【発明の概要】
【発明が解決しようとする課題】
【０００４】
前述したレンジフードにおいては、フード内部に設けたフィルタは長期の使用に伴い、当然、油脂分や埃が付着するため、定期的にフィルタを洗浄する必要があるが、そのフィルタを洗浄する作業は面倒であるし、手が汚れるなどする。
そこで、定期的に洗浄する代わりに、交換用のフィルタを準備しておき、汚れた使用済みのフィルタを準備していた交換用のフィルタと交換することが考えられるが、この場合には、交換用のフィルタを別途保管しておき、フィルタを付け替える（交換）時に保管場所から交換用のフィルタを出してこないといけないなどの手間がかかることになる。
【０００５】
本発明の目的は、交換用フィルタをフードに保管することで、手間をかけることなく、使用済みのフィルタを交換用のフィルタと付け替えて交換できるようにしたレンジフードとすることである。
【課題を解決するための手段】
【０００６】
本発明は、調理器の周囲に設置され、調理により発生する油煙を捕集して屋外または室内に排気するレンジフードであって、
フードにおける捕集した油煙が排気される流路内にフィルタ保持部を設け、このフィルタ保持部にフィルタを着脱自在に保持し、
前記フードにおけるフィルタ保持部とは別の部位に、当該フィルタ保持部に着脱自在に保持可能な交換用フィルタを保管するための交換用フィルタ保管部を設け、
前記フードは、フード本体と、このフード本体の底面開口縁部との隙間によって前記流路の吸込口を形成する整流板を備え、
前記交換用フィルタ保管部は、前記整流板の裏面側に設けてあり、
前記整流板は、その前後方向の後方側がフード本体の前後方向の後方側に、略水平姿勢と略垂直姿勢とに亘って上下回動自在に連結され、
前記交換用フィルタ保管部は、交換用フィルタ保管空間を開放する開き位置と、閉じる閉じ位置とに亘って上下回動自在な蓋を有し、この蓋の回動中心は整流板の前後方向の前方側であることを特徴とするレンジフードである。
【０００７】
本発明においては、前記フードは、フード本体と、このフード本体の底面開口縁部との隙間によって前記流路の吸込口を形成する整流板を備え、
前記交換用フィルタ保管部は、前記整流板の裏面側に設けることができる。
【０００８】
このようにすれば、交換用フィルタ保管部、交換用フィルタがフードの外観に現れず、それらが美観に悪影響を与えることがない。
【０００９】
本発明においては、前記整流板は、その前後方向の後方側がフード本体の前後方向の後方側に、略水平姿勢と略垂直姿勢とに亘って上下回動自在に連結され、
前記交換用フィルタ保管部は、交換用フィルタ保管空間を開放する開き位置と、閉じる閉じ位置とに亘って上下回動自在な蓋を有し、この蓋の回動中心は整流板の前後方向の前方側であるようにできる。
【００１０】
このようにすれば、フード本体の前方側から整流板を略水平姿勢と略垂直姿勢に容易に回動できる。
また、整流板を略垂直姿勢とすることで蓋の前後方向の後方側が上で、前方側が下となるから、フード本体の前方側から蓋の上部を持って容易に開き位置に回動できると共に、蓋の上側が開くために保管している交換用フィルタが落ちることがない。
【００１１】
本発明においては、前記交換用フィルタ保管部は、整流板の裏面に開口した凹陥部と、この凹陥部を開閉する蓋とで交換用フィルタ保管空間を構成し、
その蓋が閉じ位置のときは、当該蓋と整流板の裏面が面一に連続するようにできる。
【００１２】
このようにすれば、吸込口から流路に流入した油煙が整流板の裏面に沿ってスムーズに流れ、油煙の排気効率が向上する。
【００１３】
本発明においては、前記フィルタ保持部は、フィルタ保持台にフィルタ押え枠を保持位置と保持解除位置とに亘って上下回動自在に連結し、
そのフィルタ押え枠が保持位置のときには、当該フィルタ押え枠とフィルタ保持台とでフィルタを挟み込むことで保持し、フィルタ押え枠が保持解除位置のときにはフィルタを取り出し可能とし、
前記フィルタ押え枠の回動中心は、当該フィルタ押え枠の前後方向の後方側で、かつ前記整流板の回動中心よりも前方寄りで、保持解放位置のときには略垂直となるようにできる。
【００１４】
このようにすれば、整流板を略垂直姿勢とした状態で、フード本体の前方側からフィルタ押え枠を略垂直姿勢としてフィルタを交換できる。
【００１５】
本発明においては、前記整流板が略垂直姿勢で、前記蓋が開き位置のときに、前記フィルタ押え枠を保持位置と保持解除位置とに亘って上下に回動できるようにできる。
【００１６】
このようにすれば、フィルタ保持部からフィルタを取り外し、交換用フィルタ保管部から交換用フィルタを取り出してフィルタ保持部に保持でき、フィルタ交換作業を効率良く実施できる。
【００１７】
本発明においては、前記フードは、フード本体と、このフード本体の底面開口縁部との隙間によって前記流路の吸込口を形成する整流板を備え、
前記交換用フィルタ保管部は、前記整流板の表面側に設けることができる。
【００１８】
このようにすれば、整流板の裏面側を流れる油煙や、フィルタ保持部に保持されているフィルタから滴下する油脂分で交換用フィルタ保管部、交換用フィルタが汚れることがない。
【００１９】
本発明においては、前記交換用フィルタ保管部は、交換用フィルタ保管空間を開放する開き位置と、閉じる閉じ位置とに亘って上下回動自在な蓋を有し、
この蓋の回動中心は、当該蓋の前後方向の後方側で、その蓋の裏面における前後方向の前方側に、立上り部を備えているようにできる。
【００２０】
このようにすれば、整流板を取り付けた状態でフード本体の前方側から蓋を開き位置に回動して保管している交換用フィルタを取り出しできる。
また、蓋を開き位置に回動したときに、交換用フィルタが蓋の裏面に沿って滑り落ちることを立上り部により防止できる。
【００２１】
本発明においては、前記交換用フィルタ保管部は、フードの天板上に備えられ、前記フードの天板上に取り付けたカバー体と前記天板との間に交換用フィルタ保管空間を有し、かつ前記カバー体の蓋の前後方向の後方端にヒンジが設けられており、前記フードの前後方向の前方側から前記カバー体の蓋を開き位置に回動して交換用フィルタを取り出し可能にできる。
【００２２】
このようにすれば、交換用フィルタ保管部が目立つことがなく、美観に悪影響を与えることがない。
【００２３】
本発明においては、前記フィルタ及び交換用フィルタはシート状とすることができる。
【００２４】
このようにすれば、フィルタ保持部、交換用フィルタ保管部をコンパクトにできると共に、複数の交換用フィルタを保管することが可能である。
【発明の効果】
【００２５】
本発明によれば、フードに交換用フィルタ保管部を設けたことにより、フィルタ保持部から使用済みのフィルタを取り外し、手間をかけることなく交換用フィルタをフィルタ保持部に付け替えて交換できる。
【図面の簡単な説明】
【００２６】
【図１】本発明の第１の実施の形態を示すレンジフードの断面図である。
【図２】カバー体の正面図である。
【図３】フィルタ交換動作説明図である。
【図４】フィルタ交換動作説明図である。
【図５】フィルタ交換動作説明図である。
【図６】フィルタ交換動作説明図である。
【図７】本発明の第２の実施の形態を示すレンジフードの断面図である。
【図８】フィルタ交換動作説明図である。
【図９】フィルタ交換動作説明図である。
【図１０】フィルタ交換動作説明図である。
【図１１】本発明の第３の実施の形態を示すレンジフードの断面図である。
【図１２】フィルタ交換動作説明図である。
【図１３】本発明の第４の実施の形態を示すレンジフードの断面図である。
【発明を実施するための形態】
【００２７】
図１に示すように、調理器の周囲に設置されるフード１は、下面１ａに開口し送風機２の吸込口２ａに連通する流路３を有し、送風機２を駆動することで調理により発生した油煙を捕集し、その捕集した油煙を流路３を通して送風機２の吐出口２ｂから図示しない排気ダクトを通して屋外または屋内に排気するレンジフードとしてある。
【００２８】
図１においては、フード１はフード本体４と整流板５を備え、フード本体４は下部本体１０と上部本体１１を有し、下部本体１０は、天板１２と周面板１３と内面パネル１４を有し、その内面パネル１４の中央部分が上向きに凹み、その凹み部分１４ａと天板１２とに連続して連通口１５が形成されている。
上部本体１１は下面に開口部１６を有した箱形状で、その開口部１６が連通口１５と連通するように下部本体１０の天板１２に取り付けてある。
【００２９】
下部本体１０の内面パネル１４における凹み部分１４ａの下部に整流板５が取り付けてある。この整流板５の外周面と内面パネル１４の凹み部分１４ａの開口縁部（つまりフード本体４の底面開口縁部）との間に隙間を有し、その隙間が前述の流路３の吸込口３ａである。
この整流板５の裏面５ｂと内面パネル１４の凹み部分１４ａの底面とは上下方向に離隔して空間１７を形成し、この空間１７が連通孔１５を通して上部本体１１の内部１１ａに連通している。
これにより、前述の隙間（吸込口３ａ）、空間１７、連通孔１５、上部本体１１の内部１１ａで前述の流路３を形成している。
送風機２は上部本体１１の内部１１ａに設けられ、その吸込口２ａが上部本体１１の内部１１ａに開口している。
【００３０】
流路３内にフィルタ保持部６が設けてある。
このフィルタ保持部６はフィルタ７を着脱自在に保持し、前述の流路３内を流れる油煙がフィルタ７を通過する際に、その油煙中に含まれる油脂分がフィルタ７で分離捕獲される。
前述のフィルタ保持部６は、枠形状のフィルタ保持台６０と、このフィルタ保持台６０にヒンジ６１で、保持位置と保持解放位置とに亘って回動自在に設けたフィルタ押え枠６２を有し、フィルタ押え枠６２を保持位置に回動することで、そのフィルタ押え枠６２とフィルタ保持台６０でフィルタ７の外周縁を挟み込むことでフィルタ７を保持し、フィルタ押え枠６２を保持解放位置に回動することでフィルタ保持台６０と離れ、フィルタ７の保持を解放して取り出し可能とする。
フィルタ押え枠６２はマグネット６３で保持位置に維持されると共に、保持解放位置に回動するためのつまみ６４を有している。
【００３１】
この実施の形態では、前述の内面パネル１４の凹み部分１４ａにおける連通孔１５と対向した部位にフィルタ保持台６０がほぼ水平に取り付けてあり、フィルタ押え枠６２は、略水平な保持位置と略垂直な保持解放位置とに亘って上下方向に回動自在で、フィルタ７をほぼ水平に保持している。
前述のヒンジ６１はフィルタ保持台６０、フィルタ押え枠６２の前後方向における後方側の端部に設けられ、フィルタ押え枠６２は後方側寄りを回動支点として上下方向に回動する。つまり、フィルタ押え枠６２の回動中心は後方側である。
前述の前後方向とは、調理する人がレンジフード（フード本体４）に近づいたり、離れたりする方向で、フード本体４における調理する人と向かい合う側が前方側で、反対側が後方側である。
例えば、レンジフード（フード本体４）を壁面に設置する場合には、フード本体４の壁と反対側が前方側で、壁側が後方側である。
【００３２】
前述のマグネット６３は各枠６０，６２に対向して設けてあり、フィルタ７を介在して吸着するようにしてある。
つまり、この実施の形態のフィルタ７はシート状である。例えば、金属シートに多数の捕集用孔を形成したもの、不織布、不燃紙等である。
【００３３】
前述のフード１におけるフィルタ保持部６とは別の部位に交換用フィルタ保管部８を備え、この交換用フィルタ保管部８に交換用フィルタ７ａが保管してある。
このようであるから、フィルタ保持部６から使用済みのフィルタ７を取り外し、交換用フィルタ保管部８から交換用フィルタ７ａを取り出し、フィルタ保持部６に交換用フィルタ７ａを付け替えることで、フィルタを手間をかけることなしに交換できる。
【００３４】
前述のように、交換用フィルタ７ａがフード１の交換用フィルタ保管部８に保管されているため、フィルタ交換時にフード１から離れた他の場所から交換用フィルタを持ってくる手間が省けるし、他の場所に交換用フィルタを保管しておくスペースを確保する必要がない。
【００３５】
この実施の形態では、前述の整流板５の裏面５ｂ側に交換用フィルタ保管部８を備えている。裏面５ｂとは流路３に向かう面である。
このようにすることで、交換用フィルタ７ａ、交換用フィルタ保持部８がフード１の外観に現れず美観に悪影響を与えることがない。
【００３６】
例えば、整流板５は、その前後方向における後方側をヒンジ５０で内面パネル１４の凹み部分１４ａにおける前後方向の後方側に略水平姿勢と略垂直姿勢とに亘って上下回動自在に取り付けてある。つまり、整流板５の回動中心は前後方向の後方側である。
このヒンジ５０は、前述の整流板５の前後方向の後方側端部５ａに設けた水平方向に向かう支軸５１と、下横板１４の凹み部分１４ａの前後方向の後方端部１４ａ−１に設けた支持片５２を有し、その支持片５２の上向き半円形凹部に支軸５１を回動自在に嵌め込んである。なお、支軸５１を半円形凹部から外すことで整流板５を取り外しできる。
このヒンジ５０は、前述のフィルタ保持部６のヒンジ６１よりも前後方向の後方側寄りに位置している。
【００３７】
前述した交換用フィルタ保管部８は、整流板５の裏面５ｂ（整流板５が水平姿勢のときに上方に向かう面）にカバー体８０を取り付け、カバー体８０と整流板５の裏面５ｂとの間に交換用フィルタ保管空間８１を形成している。
カバー体８０は、交換用フィルタ７ａよりも若干大きな開口部８０ａを有した取付枠８２と、この開口部８０ａを開閉する蓋８３を有し、その蓋８３が取付枠８２にヒンジ８４で閉じ位置と開き位置とに亘って回動自在に取り付けてある。
そして、交換用フィルタ保管空間８１に交換用フィルタ７ａを保管し、蓋８３を開き位置とすることで、交換用フィルタ７ａを取り出しできるようにしてある。蓋８３にはつまみ８５が設けてある。
【００３８】
この実施の形態では、図２に示すように蓋８３の整流板５の裏面５ｂと対向する裏面８３ａに交換用フィルタ７ａを収容するポケット部８６を設け、蓋８３を開き位置に回動することで、交換用フィルタ７ａが蓋８３とともに移動するようにしてある。例えば、蓋８３ａに支持板８７を設けてポケット部８６としてある。
これに限ることはなく、蓋８３は開口部８０ａを開閉するのみとし、フィルタ保管空間８１内に交換用フィルタ７ａを保管し、蓋８３を開き位置とすることで交換用フィルタ７ａを開口部８０ａから取り出すようにしても良い。
【００３９】
前述のヒンジ８４は整流板５の前後方向における前方側に設けてあり、蓋８３の回動中心は整流板５の回動中心と前後方向に反対側としてある。
【００４０】
このようであるから、フード本体４の前後方向の前方側から整流板５を図３に示すように容易に略垂直姿勢に回動できる。
しかも、整流板５が略垂直姿勢のときに図３に示すように、蓋８３の前後方向の後方側（つまみ８５）が上で、前方側（ヒンジ８４）が下となるから、フード本体４の前方側から蓋８３を摘み８５を持って容易に開き位置に回動できる。
【００４１】
また、蓋８３が開き位置のときに、図４に示すように蓋８３はフード１の下面１ａよりも離れた下方に位置し、この状態で図５に示すようにフィルタ保持部６のフィルタ押え枠６２を保持解放位置に回動する際に、そのフィルタ押え枠６２が蓋８３と干渉しないようにできる。
しかも、図５に示すように開き位置の蓋８３は保持解放位置のフィルタ押え枠６２よりも下方に位置し、図６に示すようにその蓋８３から交換用フィルタ７ａを容易に取り出すことができる。
【００４２】
次に、フィルタの交換動作を説明する。
図３に示すように、使用者がフード本体４の前方側から整流板５をヒンジ５０を中心として垂直姿勢とする。このとき、蓋８３の回動中心（ヒンジ８４）は整流板５の前後方向の後側で、蓋８３の上側が開くことになるため、交換用フィルタ保管空間８１に保管している交換用フィルタ７ａが落ちることがない。
なお、この状態で蓋８３が開き位置に回動しないように、蓋８３を弾性部材で閉じ位置に付勢したり、マグネットで保持することが好ましい。
【００４３】
図４に示すように、つまみ８５を持って蓋８３をヒンジ８４を中心として下方に回動し開き位置とし、その蓋８３のポケット部８６に収容されている交換用フィルタ７ａを、フード本体４の前後方向の前方側から使用者が取り出し可能とする。
この状態から、つまみ６４を持ってフィルタ押え枠６２をヒンジ６１を中心として下方に回動して図５に示すように保持解放位置とし、フィルタ７を取り外しする。このとき、フィルタ押え枠６２の回動中心（ヒンジ６１）は後方側であるから、整流板５が邪魔にならずにフード本体４の前方側から容易に回動できる。
【００４４】
そして、図６に示すように蓋８３のポケット部８６から交換用フィルタ７ａを取り出し、フィルタ保持台６０にセットすると共に、フィルタ押え枠６２を保持位置に回動することでフィルタ保持部６に交換用フィルタ７ａを保持する。この動作のときに整流板５、フィルタ押え板６２は後方側を回動中心として回動しているから、その整流板５、フィルタ押え板６２が邪魔にならずにフード本体４の前方側から容易に作業できる。
【００４５】
最後に、蓋８３を閉じ位置に回動し、整流板５を水平姿勢に回動する。
なお、フィルタ交換動作は前述の順序に限ることはなく、任意の順序で交換することができる。
例えば、整流板５をフード本体４から取り外して交換するようにする。
【００４６】
次に、本発明の第２の実施の形態を説明する。
この実施の形態は図７に示すように、整流板５に交換用フィルタ７ａを保管するための凹陥部８８を形成した点が前述の第１の実施の形態と相違し、他の構成は第１の実施の形態と同様である。
前述の凹陥部８８は裏面５ｂに開口し、かつ前述の蓋８３とほぼ同一の大きさで、その凹陥部８８の前後方向の前方側における開口寄りに蓋８３がヒンジ８４で回動自在に連結されている。
そして、蓋８３を閉じ位置とすると、蓋８３のポケット部８６が凹陥部８８内に入り込み、かつ凹陥部８８を蓋８３が閉塞して交換用フィルタ保管空間８１を形成し、かつ整流板５の裏面５ｂと蓋８３の表面８３ｂが面一に連続して整流板５の裏面が凹凸のない平坦面となるようにしてある。
【００４７】
このようにすることで、送風機２を駆動して調理時に発生する油煙を流路３を通して排気する際に、その吸込口３ａから流入した油煙が整流板５の裏面５ｂに沿ってスムーズに流れるので、油煙を効率良く排気することができる。
【００４８】
この実施の形態においても、図８〜図１０に示すように前述の第１の実施の形態と同様にしてフィルタを交換することができる。
つまり、図８に示すように整流板５をヒンジ５０を中心として略垂直姿勢に回動し、図９に示すように蓋８３をヒンジ８４を中心として開き位置に回動する。
そして、図１０に示すようにフィルタ押え枠６２を保持解除位置に回動してフィルタ７を取り外し、蓋８３のポケット部８６から交換用フィルタ７ａを取り出してフィルタ保持部６に保持する。
最後に、蓋８３を閉じ位置に回動し、整流板５を水平姿勢に回動する。
【００４９】
次に、本発明の第３の実施の形態を説明する。
この実施の形態は図１１に示すように、カバー体８０を整流板５の表面５ｃに取り付けたことが第１の実施の形態と相違し、他の構成は第１の実施の形態と同様である。
つまり、カバー体８０を整流板５の表面５ｃに取り付け、そのカバー体８０と整流板５の表面５ｃとの間に交換用フィルタ保管空間８１を形成する。
このようにすれば、整流板５の裏面５ｂを通る油煙や、フィルタ保持部６に保持されたフィルタ７から滴下する油脂分により交換用フィルタ７ａが汚れることを確実に防止できる。
【００５０】
この実施の形態の場合には、整流板５を水平姿勢として蓋８３を開き位置に回動することで、交換用フィルタ保管空間８１から交換用フィルタ７ａを取り出しするので、取付枠８２と蓋８３を連結するヒンジ８４を、整流板５の前後方向の後方側とし、図１２に示すように、蓋８３が、その前後方向の後方端を回動中心として回動し、開き位置のときに前後方向の前方端が下方となるようにしてある。
このようにすれば、フード本体４の前方側から使用者が蓋８３を開き位置として交換用フィルタ７ａを容易に取り出しできる。
【００５１】
図１２に示すように蓋８３を開き位置としたときに、保管していた交換用フィルタ７ａが蓋８３とともに移動すると、その交換用フィルタ７ａが蓋８３の裏面８３ａに（整流板５の表面５ｃと対向する面）に沿って滑り落ちることがあるので、蓋８３の裏面８３ａにおける前後方向の前方側に立上り部８９を設け、この立ち上がり部８９で交換用フィルタ７ａが滑り落ちないようにしてある。
なお、立上り部８９は蓋８３の裏面８３ａにおける左右両側寄りにも設けても良い。
【００５２】
この実施の形態の場合には、前述のようにして交換用フィルタ７ａを取り出した後に蓋８３を閉じ位置に回動し、整流板５をヒンジ５０を中心として垂直姿勢に回動する。
そして、フィルタ押え枠６２をヒンジ６１を中心として保持解放位置に回動し、使用していたフィルタ７を取り外し、交換用フィルタ７ａを付け替えて保持することでフィルタ交換する。
【００５３】
次に、本発明の第４の実施の形態を説明する。
この実施の形態は、図１３に示すようにカバー体８０をフード１の天板上に備えられていることが前述の第１の実施の形態と相違し、他の構成は第１の実施の形態と同様である。
つまり、フード本体４の下部本体１０の天板１２にカバー体８０を取り付け、そのカバー体８０と天板１２との間に交換用フィルタ保管空間８１を形成している。
このようにすれば、カバー体８０、交換用フィルタ７ａが目視しづらいから、美観に悪影響を与えることがない。
【００５４】
この実施の形態の場合には、蓋８３のヒンジ８４を、その蓋８３の前後方向の後方端に設け、フード本体４の前後方向の前方側から蓋８３を開き位置に回動して交換用フィルタ７ａを取り出し易いようにしてある。
【００５５】
フィルタの交換動作は、整流板５を垂直姿勢として、フィルタ押え枠６２を保持解放位置に回動し、使用していたフィルタ７を取り外し、前述のようにして取り出した交換用フィルタ７ａと付け替えて保持してフィルタ交換する。
【００５６】
前述の各実施の形態では、フード本体４と整流板５とでフード１としたが、フード本体４のみでフード１としても良い。
また、フィルタ保持部６のフィルタ保持台６０はフード本体４に設けても良い。例えば、凹み部分１４ａの連通孔１５の周縁に段差を形成してフィルタ保持台６０とする。
また、前述の各実施の形態では、フィルタ７、交換用フィルタ７ａをシート状としてフィルタ保持部６、交換用フィルタ保管部８をコンパクトにすると共に、複数の交換用フィルタ７ａを保管できるようにしたが、フィルタ７、交換用フィルタ７ａはシート状に限ることはなく、任意のものを使用できる。
【符号の説明】
【００５７】
１…フード、２…送風機、３…流路、３ａ…吸込口、４…フード本体、５…整流板、６…フィルタ保持部、７…フィルタ、７ａ…交換用フィルタ、８…交換用フィルタ保管部、５０…ヒンジ（回動中心）、６０…フィルタ保持台、６１…ヒンジ（回動中心）、６２…フィルタ押え枠、８０…カバー体、８１…交換用フィルタ保管空間、８３…蓋、８４…ヒンジ（回動中心）、８８…凹陥部、８９…立上り部。
【図１】
0006014347.tif 000002
【図２】
0006014347.tif 000003
【図３】
0006014347.tif 000004
【図４】
0006014347.tif 000005
【図５】
0006014347.tif 000006
【図６】
0006014347.tif 000007
【図７】
0006014347.tif 000008
【図８】
0006014347.tif 000009
【図９】
0006014347.tif 000010
【図１０】
0006014347.tif 000011
【図１１】
0006014347.tif 000012
【図１２】
0006014347.tif 000013
【図１３】
0006014347.tif 000014